(57)【要約】【課題】        簡易な構成により、ホチキス画像や折り返し部分の陰影画像を印刷しないようにすること。【解決手段】    原稿を読み取る原稿読取り装置と、後処理された原稿の後処理領域を記憶する後処理領域記憶手段（Ｃ９Ａ）と、前記原稿読取り装置が読み取った読取り画像データを編集する読取り画像編集手段（Ｃ１０）と、前記原稿の前記後処理領域に対応する前記読取り画像データの後処理領域画像データを、所定の後処理領域修正用画像データに変更する前記読取り画像編集手段（Ｃ１０）とを備えた画像形成装置。【選択図】    図３
2005136579.tif 000002
【特許請求の範囲】
【請求項１】
下記の構成要件（Ａ01）〜（Ａ04）を備えたことを特徴とする画像形成装置、
（Ａ01）原稿を読み取る原稿読取り装置、
（Ａ02）後処理された原稿の後処理領域を記憶する後処理領域記憶手段、
（Ａ03）前記原稿読取り装置が読み取った読取り画像データを編集する読取り画像編集手段、
（Ａ04）前記原稿の前記後処理領域に対応する前記読取り画像データの後処理領域画像データを、所定の後処理領域修正用画像データに変更する前記読取り画像編集手段。
【請求項２】
下記の構成要件（Ａ05）を備えたことを特徴とする請求項１記載の画像形成装置、
（Ａ05）前記後処理領域の画像が削除された画像データ又は、所定の背景画像データである前記後処理領域修正用画像データ。
【請求項３】
下記の構成要件（Ａ06）〜（Ａ09）を備えたことを特徴とする請求項１または２のいずれか記載の画像形成装置、
（Ａ06）表面及び裏面に画像が印刷された複数ページの両面印刷原稿の最初のページの前記後処理領域をユーザが設定するための後処理領域設定手段、
（Ａ07）両面印刷原稿を読み取った読取りページ数をカウントする読取りページ数カウント手段、
（Ａ08）前記ユーザが入力した原稿の最初のページの後処理領域と、前記読取りページ数とに基づいて、読取り対象のページの後処理領域を自動的に判別する後処理領域自動判別手段、
（Ａ09）前記後処理領域自動判別手段によって判別された後処理領域を記憶する前記後処理領域記憶手段。
【請求項４】
下記の構成要件（Ａ010）を備えたことを特徴とする請求項１ないし３のいずれか記載の画像形成装置、
（Ａ010）前記後処理領域画像データを所定の後処理領域修正用画像データに変更するか否かを、ユーザの入力に応じて記憶する修正実行記憶手段。
【発明の詳細な説明】
【技術分野】
【０００１】
本発明は、原稿読取り装置で読み取った画像を印刷する複写機、複合機（複写機能を備えたプリンタやＦＡＸ等）等の画像形成装置に関し、特に、ホチキスで綴じられたり、綴じ紐で綴じられた原稿束の画像を読み取り、印刷可能な画像形成装置に関する。本発明は、電子写真方式やインクジェット記録式の複合機及び複写機等の画像形成装置に好適に適用可能である。
【背景技術】
【０００２】
図１２は従来の原稿束をホチキスを外さずに複写する場合の説明図であり、図１２Ａは綴じられた原稿束の第１ページの説明図、図１２Ｂは原稿束の２ページ目以降のページの説明図、図１２Ｃは第１ページが複写された記録用紙の説明図、図１２Ｄは２ページ目以降のページが複写された記録用紙の説明図である。
図１２Ａ、図１２Ｂに示すホチキス０１で綴じられた原稿束や、パンチングされ綴じ紐で綴じられた原稿束等の後処理された原稿束を、画像形成装置で複写する場合、従来、ユーザは以下の（１）、（２）の２つの方法で複写を実行していた。
（１）ホチキス０１等を外して、原稿束をバラバラにした後、複写を実行する。
（２）綴じられた状態のまま、２ページ目以降は、図１２Ｂに示すように綴じ位置で折り返しながら複写を実行する。
【発明の開示】
【発明が解決しようとする課題】
【０００３】
しかしながら、前記方法（１）では、複写時にホチキス０１等を外す必要があると共に、複写終了後再び原稿束をホチキス止め等しなければならず、作業が面倒であるという問題がある。
前記方法（２）では、方法（１）の作業が面倒であるという問題を解決できる。しかしながら、原稿束が綴じられたまま原稿を複写するので、例えば、図１２Ａに示すホチキス０１で綴じられた原稿束の第１ページを複写すると、図１２Ｃに示すようにホチキス画像０２（後処理領域画像、印刷ゴミ）が印刷されてしまう問題がある。なお、前記方法（１）の場合でも、ホチキス０１を外した跡に残るホチキス貫通孔がホチキス貫通孔画像（印刷ゴミ）として印刷されてしまう問題がある。
【０００４】
また、前記方法（２）では、綴じられた原稿束の第２ページ以降のページでは、読み取る際に図１２Ｂに示すようにホチキス止めの部分で折り返して読取り対象のページを読み取る。このとき、従来の原稿読取り装置では原稿に照射した光の反射光によって原稿画像を読み取っているため、読み取る際に折り返し部分０３で光が乱反射してしまう。このため、図１２Ｂに示す折り返し部分０３のある原稿では、図１２Ｄに示すように折り返し部分０３が陰影画像０４（後処理領域画像、印刷ゴミ）として印刷されてしまう問題がある。
【０００５】
前記方法（２）の問題を解決するために、画像を読み取る領域をシフトさせたり（ずらしたり）、画像読取り領域を縮小することによって、折り返し部分を読み取らないようにする処理を実行することが考えられるが、シフト量や縮小量を検出・制御する処理が複雑になり画像形成装置への実装が困難であるという問題がある。
本発明は、前述の事情に鑑み、次の記載内容（Ｏ01）を技術的課題とする。
（Ｏ01）簡易な構成により、ホチキス画像や折り返し部分の陰影画像を印刷しないようにすること。
【課題を解決するための手段】
【０００６】
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００７】
（本発明）
前記技術的課題を解決するために本発明の画像形成装置は、下記の構成要件（Ａ01）〜（Ａ04）を備えたことを特徴とする。
（Ａ01）原稿（Ｇｉ）を読み取る原稿読取り装置（ＩＩＴ）、
（Ａ02）後処理された原稿（Ｇｉ）の後処理領域を記憶する後処理領域記憶手段（Ｃ９Ａ）、
（Ａ03）前記原稿読取り装置（ＩＩＴ）が読み取った読取り画像データを編集する読取り画像編集手段（Ｃ１０）、
（Ａ04）前記原稿（Ｇｉ）の前記後処理領域に対応する前記読取り画像データの後処理領域画像データ（１２ａ，１２ｂ）を、所定の後処理領域修正用画像データに変更する前記読取り画像編集手段（Ｃ１０）。
【０００８】
（本発明の作用）
前記構成要件（Ａ01）〜（Ａ04）を備えた本発明の画像形成装置では、原稿読取り装置（ＩＩＴ）は、原稿（Ｇｉ）を読み取る。後処理領域記憶手段（Ｃ９Ａ）は、後処理された原稿（Ｇｉ）の後処理領域（ホチキスやパンチング等の後処理がされた位置及び範囲）を記憶する。読取り画像編集手段（Ｃ１０）は、前記原稿読取り装置（ＩＩＴ）が読み取った読取り画像データを編集する。前記読取り画像編集手段（Ｃ１０）は、前記原稿（Ｇｉ）の前記後処理領域に対応する前記読取り画像データの後処理領域画像データ（１２ａ，１２ｂ）を、所定の後処理領域修正用画像データに変更する。前記後処理領域修正用画像データとして、例えば、後処理領域画像データ（１２ａ，１２ｂ）を削除するデータや、無地の背景画像データ、原稿の表示画像の背景色と同じ画像データ、あるいは原稿表示画像の背景柄と同じ画像データを使用できる。
【０００９】
したがって、本発明の画像形成装置は、ホチキス止めやパンチング孔等が読み取られたホチキス画像（１２ａ）等や、２ページ目以降の折り返し部分が読み取られる際の陰影画像（１２ｂ）を含む後処理領域画像データ（１２ａ，１２ｂ）を、所定の後処理領域修正用画像データに変更する。この結果、変更後の読取り画像データでは前記陰影画像（１２ｂ）等が修正されているので、記録シート（Ｓ）に記録される画像の後処理領域部分に、陰影画像（１２ｂ）等が形成されることを防止できる。また、本発明の画像形成装置では、後処理領域画像（１２ａ，１２ｂ）を後処理領域修正画像に変更する処理だけで、陰影画像（１２ｂ）等が形成されることを防止できるので、シフト処理や縮小処理を行う場合と比較して、簡易な構成で陰影画像（１２ｂ）等の形成を防止できる。
【００１０】
また、前記本発明の画像形成装置は、下記の構成要件（Ａ05）を備えることも可能である。
（Ａ05）前記後処理領域の画像が削除された画像データ又は、所定の背景画像データである前記後処理領域修正用画像データ。
前記構成要件（Ａ05）を備えた本発明の画像形成装置では、前記後処理領域修正用画像データとして、前記後処理領域の画像が削除された画像データ又は、所定の背景画像データが使用される。したがって、読み取られた後処理領域画像が削除又は、背景画像に変更されるので、変更後の読取り画像データでは陰影画像（１２ｂ）等が削除または背景画像に変更される。この結果、記録シート（Ｓ）に陰影画像（１２ｂ）等が記録されることを防止できる。
【００１１】
また、前記本発明の画像形成装置は、下記の構成要件（Ａ06）〜（Ａ09）を備えることも可能である。
（Ａ06）表面及び裏面に画像が印刷された複数ページの両面印刷原稿（Ｇｉ）の最初のページの前記後処理領域をユーザが設定するための後処理領域設定手段（Ｃ５）、
（Ａ07）両面印刷原稿（Ｇｉ）を読み取った読取りページ数（ｎ）をカウントする読取りページ数カウント手段（Ｃ８）、
（Ａ08）前記ユーザが入力した原稿（Ｇｉ）の最初のページの後処理領域と、前記読取りページ数（ｎ）とに基づいて、読取り対象のページの後処理領域を自動的に判別する後処理領域自動判別手段（Ｃ９）、
（Ａ09）前記後処理領域自動判別手段（Ｃ９）によって判別された後処理領域を記憶する前記後処理領域記憶手段（Ｃ９Ａ）。
【００１２】
前記構成要件（Ａ06）〜（Ａ09）を備えた本発明の画像形成装置では、ユーザは、後処理領域設定手段（Ｃ５）によって表面及び裏面に画像が印刷された複数ページの両面印刷原稿（Ｇｉ）の最初のページの前記後処理領域（位置及び範囲）を設定する。読取りページ数カウント手段（Ｃ８）は、両面印刷原稿（Ｇｉ）を読み取った読取りページ数（ｎ）をカウントする。後処理領域自動判別手段（Ｃ９）は、前記ユーザが入力した原稿（Ｇｉ）の最初のページの後処理領域と、前記読取りページ数（ｎ）とに基づいて、読取り対象のページの後処理領域を自動的に判別する。前記後処理領域記憶手段（Ｃ９Ａ）は、前記後処理領域自動判別手段（Ｃ９）によって判別された後処理領域を記憶する。
したがって、前記構成要件（Ａ06）〜（Ａ09）を備えた本発明の画像形成装置では、読み取るページ毎に後処理領域をユーザが設定しなくても、両面印刷原稿（Ｇｉ）の２ページ目以降の後処理領域が自動的に判別され、記憶される。そして、前記記憶された後処理領域に対応する後処理画像データ（１２ａ，１２ｂ）は、所定の後処理領域修正用画像データに変更される。
【００１３】
また、前記本発明の画像形成装置は、下記の構成要件（Ａ010）を備えることも可能である。
（Ａ010）前記後処理領域画像データ（１２ａ，１２ｂ）を所定の後処理領域修正用画像データに変更するか否かを、ユーザの入力に応じて記憶する修正実行記憶手段（Ｃ７）。
前記構成要件（Ａ010）を備えた本発明の画像形成装置では、修正実行記憶手段（Ｃ７）は前記後処理領域画像データ（１２ａ，１２ｂ）を所定の後処理領域修正用画像データに変更するか否かを、ユーザの入力に応じて記憶する。したがって、後処理領域画像データ（１２ａ，１２ｂ）の変更を行うか否かをユーザが設定することができる。
【発明の効果】
【００１４】
前述の本発明の画像形成装置は、下記の効果（Ｅ01）〜（Ｅ03）を奏する。
（Ｅ01）簡易な構成により、ホチキス画像や折り返し部分の陰影画像を印刷しないようにすることができる。
（Ｅ02）両面印刷原稿を読み取る場合に、２ページ目以降の後処理領域を自動的に判別することができる。
（Ｅ03）後処理領域画像データを後処理領域修正用画像データに変更するか否かをユーザが指定することができる。
【発明を実施するための最良の形態】
【００１５】
次に図面を参照しながら、本発明の画像形成装置の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１６】
図１は本発明の実施例１の画像形成装置（デジタル複写機）の縦断面図である。
図１において、カートリッジユニット装着装置としての画像形成装置（デジタル複写機）Ｕは、画像形成装置本体（カートリッジユニット装着装置本体）Ｕ１、自動原稿搬送装置Ｕ２を有している。前記画像形成装置本体Ｕ１は、ＩＯＴ（イメージアウトプットターミナル）、ＩＩＴ（イメージインプットターミナル、すなわち原稿読取装置）を有している。
前記自動原稿搬送装置Ｕ２は、ＩＩＴ上面のプラテンガラスＰＧ上に支持されている。
前記ＩＯＴ上面には上方のＩＩＴとの間にシート排出トレイＴＲｈが設けられている。
【００１７】
図１において、前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。前記自動原稿搬送装置Ｕ２は、その後端部（−Ｘ端部）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザがコピースタート等の作動指令信号を入力操作するＵＩ（ユーザインタフェース）を有している。
【００１８】
前記透明なプラテンガラスＰＧの下方には原稿画像を読み取るための露光光学系Ａが配置されている。
前記自動原稿搬送装置Ｕ2でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力される電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＲｔにバイアス電圧を印加する電源回路Ｅ等の動作はコントローラＣにより制御される。
【００１９】
図２は図１の画像形成装置プロセスユニット及び定着ユニット部分の要部拡大図である。
図１において、前記ＲＯＳの左方には、黒色のトナー像を形成するトナー像形成装置（プロセスユニット、カートリッジユニット）Ｕｐが配置されている。潜像形成光学系ＲＯＳの前記図示しないレーザダイオードから出射したレーザビームＬは、回転する感光体ＰＲに入射する。
図１、図２において、前記トナー像形成装置Ｕｐは、矢印方向（図２参照）に回転する感光体ドラムにより構成された像担持体ＰＲと、帯電ロール（帯電部材）ＣＲと、現像装置Ｇと、クリーナＣＬとを有している。また、前記トナー像形成装置Ｕｐはユニット化されており、プロセスユニットＵｐとして画像形成装置本体Ｕ１に着脱可能に構成されている。前記プロセスユニット（トナー像形成装置）Ｕｐの着脱は、画像形成装置本体Ｕ１の前面に開閉可能に支持されたフロントカバー（図示せず）を開放した状態で行う。
【００２０】
前記像担持体ＰＲの表面は、帯電ロールＣＲにより一様に帯電された後、潜像書込位置Ｑ１（図２参照）において前記ＲＯＳ（潜像形成装置）のレーザビームＬにより露光走査されて静電潜像が形成される。
前記静電潜像が形成された像担持体ＰＲ表面は回転移動して現像領域Ｑ２（図２参照）、転写領域（シート転写領域）Ｑ３を順次通過する。
現像装置Ｇは、現像バイアスが印加される現像ロールＧａ、現像剤を現像ロールに撹拌しながら搬送する現像剤攪拌部材Ｇｂ，Ｇｃ，Ｇｄを回転可能に支持し且つ現像剤を収容する現像容器Ｖを有している。そして、現像領域Ｑ２を通過する像担持体ＰＲ上の静電潜像を現像ロールＧａによりトナー像に現像する。
前記像担持体ＰＲ、帯電ロールＣＲ、現像装置Ｇ、クリーナＣＬ等がユニット化されたプロセスユニット（カートリッジユニット）Ｕｐによって、トナー像形成装置Ｕｐが構成されている。
【００２１】
前記転写領域Ｑ３に搬送するための記録シートを収容する複数の給紙トレイＴＲ１〜ＴＲ４（図１参照）は、その左右両側に前後方向（図１で紙面に垂直な方向）に沿って配置された一対のレールＲＬ１，ＲＬ１に沿って移動可能に支持されている。
図１において、前記各給紙トレイＴＲ１〜ＴＲ４から、ピックアップロールＲｐにより取出された記録シートは、リタードロールおよび給紙ロールを有するさばきロールＲｓにより１枚づつ分離されて、シート搬送路ＳＨに沿って配置された複数のシート搬送ロールＲａにより搬送され、レジロールＲｒにより所定のタイミングで、前記転写領域Ｑ３に搬送される。
また、前記手差トレイＴＲ０から給紙された記録シートＳも前記シート搬送路ＳＨに沿って配置されたシート搬送ロールＲａ、レジロールＲｒにより前記転写領域Ｑ３に搬送される。
前記シート搬送路ＳＨ、シート搬送ロールＲａ、レジロールＲｒ等によりシート搬送装置（ＳＨ＋Ｒａ＋Ｒｒ）が構成されている。
【００２２】
図２において、前記転写領域Ｑ３には転写バイアスが印加される転写ロール（転写装置）Ｒｔが配置されている。この転写ロールＲｔは転写領域Ｑ３において前記像担持体ＰＲに圧接しており、記録シートＳが前記転写領域Ｑ３を通過する際、前記転写ロールＲｔには前記コントローラＣにより制御される電源回路Ｅから所定のタイミングで転写バイアス（転写電圧）が印加される。このとき、前記像担持体ＰＲ上のトナー像は、転写ロールＲｔにより記録シートＳに転写される。
像担持体ＰＲ表面のトナー像が転写領域Ｑ３において記録シートＳに転写された後、前記像担持体ＰＲは、クリーナＣＬ（図２参照）により表面に付着した残留トナーが回収される。前記クリーナＣＬにより表面に付着した残留トナーが回収された像担持体ＰＲは、前記帯電ロールＣＲにより再び帯電される。
【００２３】
図１、図２において、前記転写領域Ｑ３において未定着のトナー像が転写された記録シートＳは、トナー像が未定着の状態で、前記転写ロールＲｔの上方に配置された定着装置（定着ユニット）Ｆに搬送される。
図２において、前記定着装置Ｆは、互いに圧接して回転する加熱ロール（加熱用定着部材）Ｆｈ及び加圧ロール（加圧用定着部材）Ｆｐにより構成される一対の定着部材Ｆｈ，Ｆｐを有している。また、前記定着装置Ｆは、ユニット化されており、定着ユニットＦとして画像形成装置本体Ｕ１に着脱可能に構成されている。
【００２４】
前記未定着トナー像が転写された記録シートＳは、加熱ロールＦｈと加圧ロールＦｐとの圧接領域によって形成される定着領域Ｑ４に搬送され、加熱ロールＦｈと加圧ロールＦｐによりトナー像が定着される。
前記加熱ロールＦｈ及び加圧ロールＦｐにより構成される定着部材Ｆｈ，Ｆｐ等がユニット化された定着ユニットＦによって、前記定着装置Ｆが構成されている。
【００２５】
図１、図２において、定着トナー像が形成された記録シートＳは、その後、シートガイドＳＧ１，ＳＧ２（図２参照）にガイドされて排紙ロール（標準排出ロール）Ｒ１に搬送され、前記排紙ロールＲ１によりシート排出トレイＴＲｈに排出される。
図１において、前記排紙ロールＲ１の左方には、オプション装置（シート反転装置）Ｕ３の装着時に、画像形成装置本体Ｕ１内に装着されるシート反転排出用ガイドＳＧ３（図２参照）およびオプション排出ロールＲ２（図２参照）が２点鎖線（仮想線）で示されている。
【００２６】
図１において画像形成装置本体Ｕ１の上部左側面にはオプション装置であるシート反転装置Ｕ３が着脱可能に装着されている。記録シートの両面に画像記録を行う場合、片面記録済の記録シートは前記オプション排出ロールＲ２からシート反転装置Ｕ３を通って、表裏反転した状態で前記転写領域Ｑ３に再送される。
前記シート反転排出用ガイドＳＧ３およびオプション排出ロールＲ２は、オプション装置であるシート反転装置Ｕ３を画像形成装置本体Ｕ１に装着した場合にのみ使用される部材（オプション排出部材）であり、シート反転装置Ｕ３の装着時に画像形成装置本体Ｕ１内に装着される。
【００２７】
（実施例１の制御部の説明）
図３は実施例１の画像形成装置の制御部分が備えている各機能をブロック図（機能ブロック図）で示した図である。
図３において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）やハードディスク、必要なデータを一時的に記憶するためのＲＡＭ（ランダムアクセスメモリ）、前記ＲＯＭ等に記憶されたプログラムに応じた処理を行うＣＰＵ（中央演算処理装置）、ならびにクロック発振器等を有するマイクロコンピュータにより構成されており、前記ＲＯＭ等に記憶されたプログラムを実行することにより種々の機能を実現することができる。
【００２８】
（前記コントローラＣに接続された信号入力要素）
前記コントローラＣは、ＵＩ（ユーザインタフェース）等の信号入力要素からの信号が入力されている。
前記ＵＩは、コピースタートキーＵＩ１、テンキーＵＩ２、コピー枚数入力キーＵＩ３、表示部ＵＩ４、角データ削除指定キー（後処理領域画像修正設定キー）ＵＩ５、連続読取り開始キーＵＩ６、連続読取り終了キーＵＩ７等を有しており、それらが入力されたことを検出して、その検出信号をコントローラＣに入力する。
【００２９】
（前記コントローラＣに接続された制御要素）
また、コントローラＣは、メインモータ駆動回路Ｄ１、露光光学系駆動回路Ｄ２、自動原稿搬送装置駆動回路Ｄ３、電源回路Ｅ、その他の制御要素に接続されており、それらの作動制御信号を出力している。
前記メインモータ駆動回路Ｄ１はメインモータＭ１を介して像担持体ＰＲ、現像器Ｇの現像ロールＧａ、定着部材Ｆ等を回転駆動する。
前記露光光学系駆動回路Ｄ２は露光光学系駆動モータＭ２を介して露光光学系Ａを駆動する。
前記自動原稿搬送装置駆動回路Ｄ３は、自動原稿搬送装置駆動モータＭ３を介して、自動原稿搬送装置Ｕ２の原稿搬送ローラ（図示せず）等を駆動する。
【００３０】
前記電源回路Ｅは現像ロール用電源回路Ｅ１、帯電ロール用電源回路Ｅ２、転写ロール用電源回路Ｅ３、加熱ロール用電源回路Ｅ４、露光光学系用電源回路Ｅ５等を有している。
前記現像ロール用電源回路Ｅ１は現像装置Ｇの現像ロールＧａに現像バイアスを印加する。
前記帯電ロール用電源回路Ｅ２は、帯電ロールＣＲに帯電バイアスを印加する。
前記転写ロール用電源回路Ｅ３は、転写ロールＲｔに転写バイアスを印加する。
前記加熱ロール用電源回路Ｅ４は、定着装置Ｆの加熱ロールＦｈのヒータに電流を供給する。
前記露光光学系用電源回路Ｅ５は、露光光学系Ａの光源に電流を供給する。
【００３１】
（前記コントローラＣの機能）
前記コントローラＣは、前記各信号出力要素からの出力信号に応じた処理を実行して、前記各制御要素に制御信号を出力する機能（制御手段）を有している。前記コントローラＣの機能（制御手段）を次に説明する。
Ｃ１：ジョブ制御手段
ジョブ制御手段Ｃ１は、コピースタートキーＵＩ１の入力に応じて、前記ＲＯＳ、像担持体ＰＲ、現像ロールＧａ、定着装置Ｆおよびシート搬送装置（ＳＨ＋Ｒａ＋Ｒｒ）等の動作を制御して、画像記録動作であるジョブ（コピー動作）を実行する。
【００３２】
Ｃ２：メインモータ回転制御手段
メインモータ回転制御手段Ｃ２は、前記メインモータ駆動回路Ｄ１を制御して、像担持体ＰＲや現像ロールＧａ、定着装置Ｆ等の回転駆動を制御する。
Ｃ３：電源回路制御手段
電源回路制御手段Ｃ３は、電源回路Ｅを制御して、帯電ロールＣＲや転写ロールＲｔ、定着装置Ｆ等への電圧、電流の供給を制御する。
【００３３】
Ｃ４：原稿読取り装置制御手段
原稿読取り装置制御手段Ｃ４は、前記コピースタートキーＵＩ１または連続読取り開始キーＵＩ６の入力に応じて、原稿読取り装置ＩＩＴを制御する。即ち、原稿読取り装置制御手段Ｃ４は、前記露光光学系駆動回路Ｄ２及び自動原稿搬送装置駆動回路Ｄ３を制御して、露光光学系Ａの露光装置の駆動を制御したり、自動原稿搬送装置Ｕ２の原稿搬送ローラの駆動を制御する。
【００３４】
Ｃ５：後処理領域設定手段
後処理領域設定手段Ｃ５は、後処理領域設定画像表示手段Ｃ５Ａと、後処理領域設定記憶手段Ｃ５Ｂとを有し、読取り対象の原稿の後処理領域を設定する。実施例１の後処理領域設定手段Ｃ５では、セットされる角綴じ原稿Ｇｉの原稿の向き、綴じ位置（後処理領域の位置、後処理位置）、両面印刷原稿であるか否か、読取り開始面、綴じ部分の修正幅（後処理領域の範囲、後処理範囲）を設定する。また、実施例１の後処理領域設定手段Ｃ５では、表面及び裏面に画像が印刷された複数ページの両面印刷原稿の場合、最初のページの後処理領域をユーザが設定することができる。なお、実施例１の後処理領域設定手段Ｃ５は、角綴じの原稿の後処理領域（記録シートの角の三角形状の領域）が設定可能であり、端綴じの原稿の後処理領域は設定できないが、端綴じ原稿の後処理領域（シート端に沿った帯状の後処理領域）を設定可能に構成することも可能である。
【００３５】
図４は、実施例１の画像形成装置の後処理領域設定画像の説明図である。
Ｃ５Ａ：後処理領域設定画像表示手段
後処理領域設定画像表示手段Ｃ５Ａは、プラテンガラスＰＧ上に載置される原稿または自動原稿搬送装置Ｕ２にセットされる原稿束の後処理領域をユーザが設定するための後処理領域設定画像１（図４参照）をユーザインタフェースＵＩの表示部ＵＩ４に表示する。図４において、実施例１の後処理領域設定画像１は、原稿向き指定画像２と、後処理位置指定画像３と、両面印刷原稿指定画像４と、読取り開始面指定画像５と、後処理範囲指定画像６とを有する。
【００３６】
Ｃ５Ｂ：後処理領域設定記憶手段
後処理領域設定記憶手段Ｃ５Ｂは、原稿向き指定記憶手段Ｃ５Ｂ１と、後処理位置指定記憶手段Ｃ５Ｂ２と、両面印刷原稿指定記憶手段Ｃ５Ｂ３と、読取り開始面指定記憶手段Ｃ５Ｂ４と、後処理範囲指定値記憶手段Ｃ５Ｂ５とを有する。そして、前記後処理領域設定記憶手段Ｃ５Ｂは、前記後処理領域設定画像１へのユーザの入力に応じた後処理領域の設定を記憶する。
【００３７】
Ｃ５Ｂ１：原稿向き指定記憶手段
原稿向き指定記憶手段Ｃ５Ｂ１は、前記原稿向き指定画像２へのユーザの入力に応じた原稿向きの指定を記憶する。実施例１の原稿向き指定記憶手段Ｃ５Ｂ１は、原稿の天の向きが「上」（図４に示す原稿向き指定画像２において左側）であるか「左」（図４に示す原稿向き指定画像２において右側）であるかを記憶し、ユーザの入力がない場合の初期指定値（デフォルト）として天の向きが「上」を記憶する。
なお、本明細書において「天の向き」とは、記録シートＳの搬送方向に対して、原稿画像又は印刷画像をユーザが見る際の画像の上方向の向きのことを意味する。したがって、天の向きが上とは、シート搬送方向前端が画像の上方向であること意味し、天の向きが左とは、シート搬送方向前端に対して、画像の上方向が左側に９０°回転した状態であることを意味する。
【００３８】
Ｃ５Ｂ２：後処理位置指定記憶手段
後処理位置指定記憶手段Ｃ５Ｂ２は、前記後処理位置指定画像３へのユーザの入力に応じた後処理位置の指定を記憶する。実施例１の後処理位置指定記憶手段Ｃ５Ｂ２は、後処理位置として、左上または右上を記憶し、ユーザの入力がない場合の初期指定値（デフォルト）として左上を記憶する。
Ｃ５Ｂ３：両面印刷原稿指定記憶手段
両面印刷原稿指定記憶手段Ｃ５Ｂ３は、前記両面印刷原稿指定画像４へのユーザの入力に応じて、読取り対象の後処理された原稿が、両面印刷原稿であるか片面印刷原稿であるかのユーザの入力による指定を記憶する。実施例１の両面印刷原稿指定記憶手段Ｃ５Ｂ３は、ユーザの入力がない場合の初期指定値（デフォルト）として片面を記憶する。
【００３９】
Ｃ５Ｂ４：読取り開始面指定記憶手段
読取り開始面指定記憶手段Ｃ５Ｂ４は、前記読取り開始面指定画像５へのユーザの入力に応じて、読取り対象の後処理された原稿を表面側のページから読取り開始するか裏面側のページから読取り開始するかの指定（読取り開始面の指定）を記憶する。実施例１の読取り開始面指定記憶手段Ｃ５Ｂ４は、ユーザの入力がない場合の初期指定値（デフォルト）として表面（表面側のページ、奇数ページ）を記憶する。
【００４０】
Ｃ５Ｂ５：後処理範囲指定値記憶手段
後処理範囲指定値記憶手段Ｃ５Ｂ５は、前記後処理範囲指定画像６へのユーザの入力に応じて、後処理範囲の指定値を記憶する。実施例１の後処理範囲指定値記憶手段Ｃ５Ｂ５は、後処理範囲指定画像６においてユーザがテンキーＵＩ２等を使用して入力した記録シートＳの上端からの縦方向の幅と、側端からの横方向の幅とを後処理範囲の指定値として記憶する。そして、実施例１の後処理範囲指定値記憶手段Ｃ５Ｂ５は、ユーザの入力がない場合の縦方向及び横方向の幅の初期指定値（デフォルト）として、それぞれ５ｃｍを記憶する。
【００４１】
Ｃ６：読取り画像記憶手段
読取り画像記憶手段Ｃ６は、原稿読取り装置（ＩＩＴ）で読み取った読取り画像データを記憶する。なお、実施例１の読取り画像記憶手段Ｃ６は、原稿を連続して読み取った後一括して印刷する場合には、複数ページの読取り画像データを記憶する。
【００４２】
Ｃ７：後処理領域修正実行記憶手段（修正実行記憶手段）
後処理領域修正実行記憶手段Ｃ７は、原稿の後処理領域に対応する読取り画像データの後処理領域画像データを所定の後処理領域修正用画像データに変更する（修正する）指定をユーザがしたか否かを記憶する。実施例１の後処理領域修正実行記憶手段Ｃ７は、前記角データ削除指定キー（後処理領域画像修正設定キー）ＵＩ５が入力された時に表示される後処理領域設定画像１（図４参照）において、「ＯＫ」が入力された場合に、後処理領域画像データの変更（修正）を実行する指定がされたものと記憶する。
Ｃ８：読取りページ数カウント手段
読取りページ数カウント手段Ｃ８は、連続して原稿を読み取る場合の読み取った原稿の累積枚数である読取りページ数ｎをカウントする。
【００４３】
Ｃ９：後処理領域自動判別手段
後処理領域自動判別手段Ｃ９は、後処理領域記憶手段Ｃ９Ａを有し、読取り対象の原稿の後処理領域を自動的に判別する。実施例１の後処理領域自動判別手段Ｃ９は、片面印刷原稿の場合には、ユーザが入力し、後処理位置指定記憶手段Ｃ５Ｂ２及び後処理範囲指定値記憶手段Ｃ５Ｂ５に記憶された後処理位置及び後処理範囲を、読取り対象原稿の後処理位置及び後処理範囲と判別する。そして、両面印刷原稿の場合には、前記ユーザが入力した原稿の最初のページの後処理領域（後処理位置及び後処理範囲）と、前記読取りページ数カウント手段Ｃ８でカウントされた読取りページ数ｎとに基づいて、読取り対象のページの後処理領域を自動的に判別する（後述の図７の両面印刷原稿後処理領域修正処理参照）。したがって、例えば、天の方向が上、後処理位置が左上、読取り開始面が表面に設定された両面印刷原稿の場合、読取りページ数ｎが奇数の場合には後処理位置が左上と判別し、読取りページ数ｎが偶数の場合には後処理位置が右上と判別する。
【００４４】
Ｃ９Ａ：後処理領域記憶手段
後処理領域記憶手段Ｃ９Ａは、前記後処理領域自動判別手段Ｃ９によって判別された読取り対象となるページの後処理領域をページ毎に記憶する。
Ｃ１０：読取り画像編集手段
読取り画像編集手段Ｃ１０は、後処理領域修正画像記憶手段Ｃ１０Ａを有し、ユーザの指定等に応じて、原稿読取り装置（ＩＩＴ）が読み取った読取り画像データを編集する（拡大・縮小処理や回転処理を実行する）と共に、後処理領域画像データを修正する指定がされた場合に読取り画像データの後処理領域画像データを、所定の後処理領域修正用画像データに変更する。実施例１の読取り画像編集手段Ｃ１０は、読取り画像データの中の後処理領域に対応する後処理領域画像データを、記録シートＳと同色の白地（無地）の画像データ（背景画像データ）に置き換える。
【００４５】
Ｃ１０Ａ：後処理領域修正画像記憶手段
後処理領域修正画像記憶手段Ｃ１０Ａは、読取り画像編集手段Ｃ１０によって変更される後処理領域修正用画像データを記憶する。実施例１の後処理領域修正画像記憶手段Ｃ１０Ａは、後処理領域修正用画像データとして、記録シートＳと同色の白地の背景画像データを記憶している。なお、前記後処理領域に対応する画像データ（後処理領域画像データ）を読取り画像データから削除するデータを後処理領域修正用画像データとして記憶することも可能である。
【００４６】
（フローチャートの説明）
次に、実施例１の画像形成装置の原稿読取り後随時印刷処理と、原稿連続読取り後印刷処理のフローチャートの説明を行うが、各印刷処理と並行して実行される後処理領域設定画像表示処理（前記図４に示す後処理領域設定画像１を表示し、各画像２〜６へのユーザの入力に応じた画像の更新や、入力された設定を記憶する処理）のフローチャート及びその説明は省略する。
【００４７】
（原稿読取り後随時印刷処理のメインフローチャートの説明）
図５は本発明の実施例１の画像形成装置の原稿読取り後随時印刷処理のメインフローチャートである。
図５のフローチャートの各ＳＴ（ステップ）の処理は、前記コントローラＣのＲＯＭやハードディスクに記憶されたプログラムに従って行われる。また、この処理は画像形成装置Ｕの他の各種処理と並行して実行される。
図５に示す原稿読取り後随時印刷処理のメインフローは画像形成装置Ｕの電源オンにより開始される。
【００４８】
図５のＳＴ１において、コピースタートキーＵＩ１の入力がされたか（オンになったか）否かを判別する。ノー（Ｎ）の場合はＳＴ１を繰り返し、イエス（Ｙ）の場合はＳＴ２に移る。
ＳＴ２において、露光光学系駆動回路Ｄ２及び自動原稿搬送装置駆動回路Ｄ３を制御して原稿の読取りを実行し、ＳＴ３に移る。
ＳＴ３において、後処理領域画像データを後処理領域修正用画像データに変更する指定（角データを削除する指定）がされている否かを判別する。即ち、コピースタートキーＵＩ１がオンされる前（ＳＴ１でノーが繰り返されている間）に、ユーザが角データ削除指定キーＵＩ５を入力して、後処理領域設定画像１において「ＯＫ」を入力したか否かを判別する。イエス（Ｙ）の場合はＳＴ４に移り、ノー（Ｎ）の場合はＳＴ５に移る。
【００４９】
ＳＴ４において、ユーザが入力し、前記後処理領域記憶手段Ｃ９Ａに記憶された後処理領域に基づいて、読取り対象ページ毎の後処理領域に対応する後処理領域画像データを、白地の背景画像データに変更する（修正する）。そして、ＳＴ５に移る。
ＳＴ５において、変更後の読取り画像データに基づいて現像装置Ｇ等の各装置を制御して画像を形成し、記録シートに印刷する。そして、ＳＴ６に移る。
ＳＴ６において、ジョブが終了したか否かを判別する。ノー（Ｎ）の場合はＳＴ２に戻り、イエス（Ｙ）の場合はＳＴ１に戻る。
【００５０】
（原稿連続読取り後印刷処理のメインフローチャートの説明）
図６は本発明の実施例１の画像形成装置の原稿連続読取り後印刷処理のメインフローチャートである。
図６のフローチャートの各ＳＴ（ステップ）の処理は、前記コントローラＣのＲＯＭやハードディスクに記憶されたプログラムに従って行われる。また、この処理は画像形成装置Ｕの他の各種処理と並行して実行される。
図６に示す原稿読取り後随時印刷処理のメインフローは画像形成装置Ｕの電源オンにより開始される。
【００５１】
図６のＳＴ１１において、連続読取り開始キーＵＩ６が入力された（オンになった）か否かを判別する。ノー（Ｎ）の場合はＳＴ１１を繰り返し、イエス（Ｙ）の場合はＳＴ１２に移る。
ＳＴ１２において、読取りページ数カウント手段Ｃ８の原稿読取りページ数ｎを１に初期化する。そして、ＳＴ１３に移る。
ＳＴ１３において、露光光学系駆動回路Ｄ２及び自動原稿搬送装置駆動回路Ｄ３を制御して原稿の読取りを実行し、ＳＴ１４に移る。
ＳＴ１４において、後処理領域画像データを後処理領域修正用画像データに変更する指定（角データ削除の指定）がされている否かを判別する。即ち、連続読取り開始キーＵＩ６がオンされる前（ＳＴ１１でノーが繰り返されている間）に、ユーザが角データ削除指定キーＵＩ５を入力して、後処理領域設定画像１において「ＯＫ」を入力したか否かを判別する。イエス（Ｙ）の場合はＳＴ１５に移り、ノー（Ｎ）の場合はＳＴ１８に移る。
【００５２】
ＳＴ１５において、前記両面印刷原稿指定画像４への入力によって両面印刷原稿であることが指定されているか否かを判別する。イエス（Ｙ）の場合はＳＴ１６に移り、ノー（Ｎ）の場合はＳＴ１７に移る。
ＳＴ１６において、両面印刷原稿の後処理領域（特に、後処理位置）を自動判別して、後処理領域画像データを変更する処理を行う両面印刷原稿後処理領域修正処理（後述の図７のサブルーチン参照）を実行する。そして、ＳＴ１８に移る。
ＳＴ１７において、前記後処理領域自動判別手段Ｃ９によって判別され、後処理領域記憶手段Ｃ９Ａに記憶された片面印刷原稿の後処理領域に対応する読み取った画像データの後処理領域画像データを、白地の背景画像データに変更する（修正する）。そして、ＳＴ１８に移る。
【００５３】
ＳＴ１８において、連続読取り終了キーＵＩ７の入力があったか（オンになったか）否かを判別する。ノー（Ｎ）の場合はＳＴ１９に移り、イエス（Ｙ）の場合はＳＴ２１に移る。
ＳＴ１９において、連続読取り開始キーＵＩ６の入力がされたか（オンになったか）否かを判別する。即ち、次のページの原稿がセットされて、読取り開始の入力がされたか否かを判別する。ノー（Ｎ）の場合はＳＴ１８に戻り、イエス（Ｙ）の場合はＳＴ２０に移る。
ＳＴ２０において、原稿読取りページ数ｎに１を加算する。即ち、ｎ＝ｎ＋１とする。そして、ＳＴ１３に戻る。
【００５４】
ＳＴ２１において、コピースタートキーＵＩ１がオンされたか否かを判別する。イエス（Ｙ）の場合はＳＴ２２に移り、ノー（Ｎ）の場合はＳＴ１９′に移る。
ＳＴ１９′において、連続読取り開始キーＵＩ６の入力がされたか（オンになったか）否かを判別する。即ち、次のページの原稿がセットされて、読取り開始の入力がされたか否かを判別する。ノー（Ｎ）の場合はＳＴ２１に戻り、イエス（Ｙ）の場合はＳＴ２０に移る。したがって、ユーザが連続読取り終了キーＵＩ７を入力した場合でも、ユーザが間違って入力した場合や読み取る原稿を追加したい場合には、コピースタートキーＵＩ１を押す前に連続読取り開始キーＵＩ６を入力すると連続読取りを継続する。なお、ユーザの間違い等を確認する必要がなければ、連続読取り終了キーＵＩ７の入力がされた場合に（即ち、ＳＴ１８でＹの場合に）、ＳＴ２１、ＳＴ１９′の処理を省略してＳＴ２２の処理を実行することができる。
【００５５】
ＳＴ２２において、原稿の連続読取りが終了したので、読取り画像記憶手段Ｃ６に記憶されている１ページ又は複数ページの読取り画像データに基づいて、現像装置Ｇ等の各装置を制御して画像を記録シートに印刷する。このとき、前記読取り画像記憶手段Ｃ６に記憶されている読取り画像データは、後処理領域画像データを修正する指定がされている場合には、後処理領域変更後（後処理領域修正後）の読取り画像データとなり、修正する指定がされていない場合には、修正されていない読取り画像データとなる。そして、ＳＴ１１に戻る。
【００５６】
（両面印刷原稿後処理領域修正処理処理のフローチャートの説明）
図７は、図６のＳＴ１６の両面印刷原稿後処理領域修正処理のサブルーチンのフローチャートである。
図７のＳＴ３１において、ユーザが原稿向き指定画像２への入力により指定した原稿の天の向きが、「上」であるか否かを判別する。イエス（Ｙ）の場合はＳＴ３２に移り、ノー（Ｎ）の場合はＳＴ１３２に移る。
ＳＴ３２において、ユーザが後処理位置指定画像３への入力により指定した後処理位置が「左上」であるか否かを判別する。イエス（Ｙ）の場合はＳＴ３３に移り、ノー（Ｎ）の場合はＳＴ３３Ａに移る。
【００５７】
ＳＴ３３において、ユーザが読取り開始面指定画像５への入力により指定した読取り開始面が「表面」で有るか否かを判別する。イエス（Ｙ）の場合はＳＴ３４に移り、ノー（Ｎ）の場合はＳＴ３４Ａに移る。
ＳＴ３４において、原稿読取りページ数ｎが奇数であるか否かを判別する。イエス（Ｙ）の場合はＳＴ３５に移り、ノー（Ｎ）の場合はＳＴ３６に移る。
ＳＴ３５において、後処理位置を「左上」と判別（自動判別）し、後処理領域記憶手段Ｃ９Ａに記憶する（設定する）。そして、ＳＴ３７に移る。
ＳＴ３６において、後処理位置を「右上」と判別（自動判別）し、後処理領域記憶手段Ｃ９Ａに記憶する（設定する）。そして、ＳＴ３７に移る。
ＳＴ３７において、読取り画像データの自動判別後処理位置と、ユーザが後処理範囲指定画像６への入力により指定した後処理範囲に基づいて、後処理領域画像データを白地の背景画像データ（後処理領域修正画像データ）に変更する。そして、図７の両面印刷原稿後処理領域修正処理を終了して図６のＳＴ１６に戻る。
【００５８】
ＳＴ３４Ａにおいて、前記ＳＴ３４と同様の判別処理を行う。イエス（Ｙ）の場合は前記ＳＴ３６に移り、ノー（Ｎ）の場合はＳＴ３５Ａに移る。
ＳＴ３５Ａにおいて、前記ＳＴ３５と同一の処理を実行して、前記ＳＴ３７に移る。
ＳＴ３３Ａにおいて、前記ＳＴ３３と同様の判別処理を行う。イエス（Ｙ）の場合はＳＴ３４Ｂに移り、ノー（Ｎ）の場合はＳＴ３４Ｃに移る。
ＳＴ３４Ｂにおいて、前記ＳＴ３４と同一の判別処理を行う。イエス（Ｙ）の場合は前記ＳＴ３６Ａに移り、ノー（Ｎ）の場合は前記ＳＴ３５Ａに移る。
ＳＴ３６Ａにおいて、前記ＳＴ３６と同一の処理を実行して、前記ＳＴ３７に移る。
ＳＴ３４Ｃにおいて、前記ＳＴ３４と同一の判別処理を行う。イエス（Ｙ）の場合は前記ＳＴ３５Ｂに移り、ノー（Ｎ）の場合は前記ＳＴ３６Ａに移る。
ＳＴ３５Ｂにおいて、前記ＳＴ３５と同一の処理を実行して、前記ＳＴ３７に移る。
【００５９】
ＳＴ１３２において、前記ＳＴ３２と同一の判別処理を行う。イエス（Ｙ）の場合はＳＴ１３３に移り、ノー（Ｎ）の場合はＳＴ１３３Ａに移る。
ＳＴ１３３において、前記ＳＴ３３と同一の判別処理を行う。イエス（Ｙ）の場合はＳＴ１３４に移り、ノー（Ｎ）の場合はＳＴ１３４Ａに移る。
ＳＴ１３４において、前記ＳＴ３４と同一の判別処理を行う。イエス（Ｙ）の場合はＳＴ１３５に移り、ノー（Ｎ）の場合はＳＴ１３６に移る。
ＳＴ１３５において、後処理位置を「左下」と判別（自動判別）し、後処理領域記憶手段Ｃ９Ａに記憶する（設定する）。そして、前記ＳＴ３７に移る。
ＳＴ１３６において、後処理位置を「左上」と判別（自動判別）し、後処理領域記憶手段Ｃ９Ａに記憶する（設定する）。そして、前記ＳＴ３７に移る。
【００６０】
ＳＴ１３４Ａにおいて、前記ＳＴ３４と同一の判別処理を行う。イエス（Ｙ）の場合は前記ＳＴ１３６に移り、ノー（Ｎ）の場合はＳＴ１３５Ａに移る。
ＳＴ１３５Ａにおいて、前記ＳＴ１３５と同一の処理を実行して、前記ＳＴ３７に移る。
ＳＴ１３３Ａにおいて、前記ＳＴ３３と同一の判別処理を行う。イエス（Ｙ）の場合は前記ＳＴ１３４Ｂに移り、ノー（Ｎ）の場合はＳＴ１３４Ｃに移る。
ＳＴ１３４Ｂにおいて、前記ＳＴ３４と同一の判別処理を行う。イエス（Ｙ）の場合はＳＴ１３６Ａに移り、ノー（Ｎ）の場合は前記ＳＴ１３５Ａに移る。
ＳＴ１３６Ａにおいて、前記ＳＴ１３６と同一の処理を実行して、前記ＳＴ３７に移る。
ＳＴ１３４Ｃにおいて、前記ＳＴ３４と同一の判別処理を行う。イエス（Ｙ）の場合はＳＴ１３５Ｂに移り、ノー（Ｎ）の場合は前記ＳＴ１３６Ａに移る。
ＳＴ１３５Ｂにおいて、前記ＳＴ１３５と同一の処理を実行して、前記ＳＴ３７に移る。
【００６１】
図８は、実施例１の両面印刷原稿後処理領域修正処理処理の変更例の両面印刷原稿後処理領域判別テーブルの説明図である。
実施例１では、両面印刷原稿の場合に、前記後処理領域自動判別手段Ｃ９が、前記図７に示す両面印刷原稿後処理領域修正処理のＳＴ３１〜ＳＴ３６及びＳＴ１３２〜ＳＴ１３６により後処理位置を自動的に判別して設定している。これに替えて、図８に示すような両面印刷原稿後処理領域判別テーブルを使用して後処理位置を自動的に判別することも可能である。
【００６２】
（実施例１の作用）
前記構成を備えた実施例１の画像形成装置Ｕでは、ユーザが前記角データ削除指定キーＵＩ５の入力をすると、後処理領域設定画像１が表示され、各指定を行うことができる。そして、ユーザが後処理領域設定画像１において「ＯＫ」を入力すると、後処理領域画像データの変更（修正）を実行する指定がされる。その後、コピースタートキーＵＩ１をオンにすると、プラテンガラスＰＧ上または自動原稿搬送装置Ｕ２にセットされた原稿が読み込まれ、読み込まれたページ毎に後処理領域画像データの修正が行われて、読み込んだページ毎に随時印刷が実行される（図５参照、随時印刷モード）。
【００６３】
一方、後処理領域の各指定及び後処理領域画像データの修正を実行する指定（角データ削除指定）をした後、連続読取り開始キーＵＩ６が入力されると、プラテンガラスＰＧ上または自動原稿搬送装置Ｕ２にセットされた原稿が読み込まれ、読み込まれたページ毎に後処理領域画像データの修正が行われる。ユーザが原稿の次のページをセットして、続けて連続読取り開始キーＵＩ６の入力をすると、次のページが読み込まれ後処理領域画像データの修正が行われる。そして、連続読取り終了キーＵＩ７の入力がされると原稿画像の読取りが終了し、コピースタートキーＵＩ１がオンされると、連続して読み取ったページ全ての印刷が実行される（図６参照、連続読取りモード）。
【００６４】
図９は片面印刷原稿を複写する際の実施例１の作用説明図であり、図９Ａは左上綴じの片面印刷原稿を示す図、図９Ｂは図９Ａの片面印刷原稿の後処理領域修正前の読取り画像を説明する図、図９Ｃは図９Ｂの読取り画像を修正した後記録シートに形成された画像を説明する図である。
図９Ａにおいて、ホチキス止めされた（後処理された）天の方向が上、左上綴じの４ページの片面印刷原稿を複写する際に、ホチキス１１を取り外さずに複写する場合、２ページ目以降はホチキス止めの部分で折り返してプラテンガラスＰＧ上に載置する必要がある。
【００６５】
図９Ｂにおいて、前記図９Ａの片面印刷原稿を読み取った時の１ページ目の読取り画像では、後処理領域（シートの左上のホチキス止めの位置）にホチキスがホチキス画像１２ａとして読み取られる。そして、２ページ目以降の読取り画像では、折り返し部分に対応した陰影画像１２ｂが形成される。従来技術または、後処理領域修正の指定がされていない場合には、図９Ｂに示す読取り画像が印刷されるので、印刷ゴミ（前記ホチキス画像１２ａ及び陰影画像１２ｂ）が印刷されてしまう。これに対して、実施例１の画像形成装置Ｕでは、後処理領域修正の指定がされていると、図９Ｃの１点鎖線（仮想線）で示す境界線の左上側の後処理領域１３の後処理領域画像が背景画像に変更される（修正される）。この結果、従来技術等では印刷されてしまうホチキス画像１２ａや陰影画像１２ｂ（図９Ｃの点線（仮想線）参照）が印刷されることを防止できる。
【００６６】
図１０は天の方向が上、左上綴じの両面印刷原稿を複写する際の実施例１の作用説明図であり、図１０Ａは両面印刷原稿を示す図、図１０Ｂは図１０Ａの両面印刷原稿を読み取った読取り画像を修正した後記録シートに形成された画像を説明する図である。
図１０Ａにおいて、天の方向が上、左上綴じの両面印刷原稿では、２ページ目、即ち、１ページ目の用紙の裏面では後処理領域１３が右上となる。実施例１の画像形成装置では、前記図７、図８の処理（ＳＴ３１、ＳＴ３２、ＳＴ３３、ＳＴ３４、ＳＴ３６参照）により２ページ目の後処理領域１３が右上に設定される。そして、図１０Ｂに示すようにホチキス画像１２ａや陰影画像１２ｂが白地の背景画像に変更されて印刷されるので、陰影画像１２ｂ等が印刷されることを防止できる。したがって、実施例１の画像形成装置では、両面印刷原稿の複写が行われる際にも、正確に後処理領域が判別され、後処理領域画像１２ａ，１２ｂが背景画像に修正される。
【００６７】
図１１は天の方向が左、左上綴じの両面印刷原稿を複写する際の実施例１の作用説明図であり、図１１Ａは両面印刷原稿を示す図、図１１Ｂは図１１Ａの両面印刷原稿を読み取った読取り画像を修正した後記録シートに形成された画像を説明する図である。
図１１Ａにおいて、天の方向が左、左上綴じの両面印刷原稿では、プラテンガラスＰＧ上に９０°左方向に回転した状態で載置されるので、１ページ目（奇数ページ）の後処理領域が左下となり、２ページ目（偶数ページ）の後処理領域が左上となる。実施例１の画像形成装置では、前記図７、図８の処理（ＳＴ３１、ＳＴ１３２、ＳＴ１３３、ＳＴ１３４、ＳＴ１３５等参照）により、自動的に正確な後処理領域１３が判別され、後処理領域画像１２ａ，１２ｂが背景画像に修正される。
【００６８】
したがって、前記実施例１の画像形成装置Ｕでは、ユーザの設定に応じて自動的に後処理領域が判別・設定され、ホチキス画像１２ａや陰影画像１２ｂ、又はパンチング孔画像や綴じ紐画像、あるいはホチキスが取り外された跡のホチキス貫通孔画像等の印刷ゴミが印刷されることを防止できる。そして、後処理領域画像データ１２ａ，１２ｂを背景画像に変更するだけの構成で、後処理領域画像データ１２ａ，１２ｂが印刷されることを防止できるので、シフト処理や縮小処理を行う場合と比較して、簡易な構成で陰影画像１２ｂ等が印刷されることを防止できる。
また、前記角データ削除指定キーＵＩ５の入力がされずに、複写が実行されると、読取り画像データの後処理領域画像データは修正されない。したがって、原稿の後処理領域１３に複写したい画像がある場合に、ユーザの希望に応じて後処理領域画像を印刷することも可能である。
【００６９】
さらに、例えば、複写した記録シート束を、原稿と同じ位置でホチキス止めしたい場合や、原稿と同じ位置にパンチング孔を形成したい場合に、実施例１の画像形成装置Ｕでは、１ページ目は後処理領域１３の修正を行わない指定をしてホチキス画像やパンチング孔画像を印刷することができる。そして、２ページ目以降は後処理領域１３の修正を行う指定をして印刷できる。このとき、前記読取り開始面指定画像５への入力により、読取り開始面を裏面（即ち、２ページ目）に設定することにより、後処理領域（特に、後処理位置）１３の判別を間違えることなく、２ページ目以降の印刷時に印刷ゴミの発生を防止できる。
【産業上の利用可能性】
【００７０】
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）本発明はフルカラーの画像形成装置や中間転写ベルトを有する画像形成装置にも適用可能である。
【００７１】
（Ｈ02）前記実施例１の画像形成装置Ｕは、原稿読取り後随時印刷する処理（図５参照）と、原稿連続読取り後印刷する処理（図６参照）の２つの処理を備えているが、いずれかの処理のみ実行可能な画像形成装置とすることも可能である。
（Ｈ03）前記実施例１において、後処理領域修正画像データとして白地の背景画像を使用し、後処理領域に重ね塗りをする形で後処理領域画像データを修正したが、後処理領域画像データを強制的に削除するデータ（後処理領域修正用画像データ）によって後処理領域画像データを修正することができる。また、後処理領域画像データを白地の背景画像で修正後、後処理領域にページ番号を印刷する後処理領域修正用画像データを使用することも可能である。さらに、原稿の画像の背景色と同じ画像データや原稿画像の背景柄と同じ画像データを使用することも可能である。
【００７２】
（Ｈ05）前記実施例１の画像形成装置Ｕでは、後処理領域は三角形状であったが、四角形状や多角形状、扇形状、円形状等の任意の形状とすることも可能である。
（Ｈ06）前記実施例１において、天の方向の設定が「上」と「左」の２つしかできなかったが、「右」や「下」も設定可能にすることも可能である。また、設定可能な後処理位置（綴じ位置）も左上と右上の２つであったが右下、左下も設定可能にすることも可能である。
（Ｈ07）前記実施例１において、ホチキス止め等の角部に後処理領域が形成されている原稿に対し、後処理領域修正用画像データで後処理領域画像データを修正したが、パンチング孔等の原稿の側端に沿って後処理領域が形成されている原稿に対して、側端に沿って延びる後処理領域修正用画像のデータを使用して、後処理領域画像データを修正するように構成することも可能である。
【図面の簡単な説明】
【００７３】
【図１】図１は本発明の実施例１の画像形成装置（デジタル複写機）の縦断面図である。
【図２】図２は図１の画像形成装置プロセスユニット及び定着ユニット部分の要部拡大図である。
【図３】図３は実施例１の画像形成装置の制御部分が備えている各機能をブロック図（機能ブロック図）で示した図である。
【図４】図４は、実施例１の画像形成装置の後処理領域設定画像の説明図である。
【図５】図５は本発明の実施例１の画像形成装置の原稿読取り後随時印刷処理のメインフローチャートである。
【図６】図６は本発明の実施例１の画像形成装置の原稿連続読取り後印刷処理のメインフローチャートである。
【図７】図７は、図６のＳＴ１６の両面印刷原稿後処理領域修正処理のサブルーチンのフローチャートである。
【図８】図８は、実施例１の両面印刷原稿後処理領域修正処理処理の変更例の両面印刷原稿後処理領域判別テーブルの説明図である。
【図９】図９は片面印刷原稿を複写する際の実施例１の作用説明図であり、図９Ａは左上綴じの片面印刷原稿を示す図、図９Ｂは図９Ａの片面印刷原稿の後処理領域修正前の読取り画像を説明する図、図９Ｃは図９Ｂの読取り画像を修正した後記録シートに形成された画像を説明する図である。
【図１０】図１０は天の方向が上、左上綴じの両面印刷原稿を複写する際の実施例１の作用説明図であり、図１０Ａは両面印刷原稿を示す図、図１０Ｂは図１０Ａの両面印刷原稿を読み取った読取り画像を修正した後記録シートに形成された画像を説明する図である。
【図１１】図１１は天の方向が左、左上綴じの両面印刷原稿を複写する際の実施例１の作用説明図であり、図１１Ａは両面印刷原稿を示す図、図１１Ｂは図１１Ａの両面印刷原稿を読み取った読取り画像を修正した後記録シートに形成された画像を説明する図である。
【図１２】図１２は従来の原稿束をホチキスを外さずに複写する場合の説明図であり、図１２Ａは綴じられた原稿束の第１ページの説明図、図１２Ｂは原稿束の２ページ目以降のページの説明図、図１２Ｃは第１ページが複写された記録用紙の説明図、図１２Ｄは２ページ目以降のページが複写された記録用紙の説明図である。
【符号の説明】
【００７４】
Ｃ５…後処理領域設定手段、
Ｃ７…修正実行記憶手段、
Ｃ８…読取りページ数カウント手段、
Ｃ９…後処理領域自動判別手段、
Ｃ９Ａ…後処理領域記憶手段、
Ｃ１０…読取り画像編集手段、
Ｇｉ…原稿、
ＩＩＴ…原稿読取り装置、
ｎ…読取りページ数、
１２ａ…ホチキス画像、
１２ａ，１２ｂ…後処理領域画像データ、
１２ｂ…陰影画像。
【図１】
2005136579.tif 000003
【図２】
2005136579.tif 000004
【図３】
2005136579.tif 000005
【図４】
2005136579.tif 000006
【図５】
2005136579.tif 000007
【図６】
2005136579.tif 000008
【図７】
2005136579.tif 000009
【図８】
2005136579.tif 000010
【図９】
2005136579.tif 000011
【図１０】
2005136579.tif 000012
【図１１】
2005136579.tif 000013
【図１２】
2005136579.tif 000014